(57)【要約】【課題】ティビアパッドを貫通せずに、高さを低く抑え、ティビアパッドによる保護効果を高く維持する、合成樹脂の一体成形品のティビアパッド固定用クリップを提供する。【解決手段】クリップ１は、軸部５と、ティビアパッドに接面するフランジ６と、固定部（１４）とが合成樹脂で一体成形され、軸部５には、ティビアパッドの取付穴の内壁面に係合してクリップの抜け外れを阻止する突起９を有する係合部１０が連結され、係合部１０は、突出位置と非突出位置とを揺動でき、係合部１０には、通常時には突出位置にあり、外力の付与によって非突出位置に揺動でき、外力の解除によって通常時の突出位置に復帰する弾性が付与されている。【選択図】図１
2008163996.tif 000002
【特許請求の範囲】
【請求項１】
乗員保護のための軟質材料で成るティビアパッドをフロアパネル等の被取付部材に固定する、ティビアパッド固定用のクリップであって、
ティビアパッドの取付穴に挿入される軸部と、該軸部の一端に設けられて該軸部が前記取付穴を貫通するのを阻止するようにティビアパッドに接面するフランジと、被取付部材に固定される固定部とが、合成樹脂で一体成形されて成り、
前記軸部には、ティビアパッドの取付穴の内壁面に係合するように該軸部の側面から半径方向外方に突出して当該クリップの抜け外れを阻止する突起を有する係合部が連結されており、
前記係合部は、前記突起が軸部側面から外方に突出した突出位置と該突起が前記軸部側面から外方に突出しない非突出位置とを揺動できるように形成されており、
該係合部には、通常時には前記突出位置にあり、外力の付与によって前記非突出位置に揺動することができ、該外力の解除によって前記通常時の前記突出位置に復帰する弾性が付与されている、
ことを特徴とするクリップ。
【請求項２】
請求項１に記載のクリップにおいて、前記係合部は、根元部がフランジと反対の軸部の端部に連結され、該軸部に沿って前記フランジに隣接する軸部の端部に延び、先端がフランジに隣接する位置において自由端となっており、該自由端は、前記根元部を中心に該係合部が前記非突出位置に揺動できるように外力を加えることができる形状で成る、ことを特徴とするクリップ。
【請求項３】
請求項２に記載のクリップにおいて、前記係合部は、前記根元部から前記自由端までの全体が細長い板状に形成されており、該板状の係合部は、前記軸部に沿って延びる軸部隣接部分と、該軸部隣接部分から前記フランジに沿ってＬ字形状に延びるフランジ隣接部分とから成る、ことを特徴とするクリップ。
【請求項４】
請求項３に記載のクリップにおいて、前記軸部隣接部分に、軸部の半径方向外側に突出する突起が長手方向に複数個形成されている、ことを特徴とするクリップ。
【請求項５】
請求項３又は４に記載のクリップにおいて、前記フランジ隣接部分は、外力を付与しない通常時において、前記自由端が、フランジ外縁部と一緒に押さえて把持できる位置に、フランジより半径方向外方に張り出している、ことを特徴とするクリップ。
【請求項６】
請求項１〜５のいずれか１項に記載のクリップにおいて、前記係合部は１個である、ことを特徴とするクリップ。
【請求項７】
請求項１〜５のいずれか１項に記載のクリップにおいて、前記係合部は、軸部の直径方向に対向して２個設けられている、ことを特徴とするクリップ。
【請求項８】
請求項１〜７のいずれか１項に記載のクリップにおいて、当該クリップをティビアパッドの取付穴に対して中心に位置決めできるように、前記軸部の外面に、周方向に間隔をおいて、長手方向に延びるリブが複数個形成されている、ことを特徴とするクリップ。
【請求項９】
請求項１〜８のいずれか１項に記載のクリップにおいて、前記軸部は、被取付部材に立設された棒状のスタッドを受入れるように中空に形成されており、前記固定部は、前記中空軸部に形成された弾性係止爪を有する、ことを特徴とするクリップ。
【発明の詳細な説明】
【技術分野】
【０００１】
本発明は、乗員保護のための軟質材料で成るティビアパッドをフロアパネル等の被取付部材に固定する、ティビアパッド固定用のクリップに関する。
【背景技術】
【０００２】
乗員保護のための軟質材料で成るティビアパッドをフロアパネル等の被取付部材に固定する、ティビアパッド固定用のクリップは知られている（特開２００５−１４５２８６号公報：特許文献１）。特許文献１のクリップは、ほぼコの字状の金属製の板ばねで形成されて、ティビアパッドの取付穴に挿入して、折曲げた端部を取付穴の内壁面に食い込ませることによってティビアパッドに取付ける。クリップ付きのティビアパッドは、フロアパネルに立設されたスタッドを、クリップ付きの取付穴に受入れて、クリップをスタッドのねじ溝に係止させてティビアパッドをフロアパネルに固定する。
【０００３】
【特許文献１】特開２００５−１４５２８６号公報
【特許文献２】特開２００３−１３７０１３号公報
【特許文献３】特開２００３−２３９９２６号公報
【特許文献４】特開２００１−０１２４２６号公報
【発明の開示】
【発明が解決しようとする課題】
【０００４】
特許文献１のティビアパッド固定用のクリップは、金属製の板ばねで成る。防錆の観点においても取扱いの容易さの点においても、クリップは、金属製ではなく、合成樹脂製で成るのが好ましい。特許文献２のクリップは合成樹脂製であり、フロアパネルにティビアパッドを固定するのに用いられる。このクリップは雌部材と雄部材との２部品で成る。従って、管理が容易で且つコストを低くできる一体成形品の有利さがない。特許文献３のクリップも合成樹脂製の一体成形品である。しかし、特許文献３のクリップが取付けられる対象は、軟質材料で成るティビアパッドではなく、フットレスト等の硬質材料で成る部材をフロアパネルに取付けるのに用いられる。軟質材料で成るティビアパッドには適していない。
【０００５】
また、特許文献２のクリップにおいても、特許文献３のクリップにおいても、クリップは、取付ける部材の取付穴が貫通穴であることを必要としている。ティビアパッドは、乗員の下肢障害を低減するように保護するため、軟質の材料で成る。他方、クリップは、ティビアパッドをフロアパネルに確実に固定するため、硬質の材料で形成される。そのクリップが、特許文献２や特許文献３のクリップのように、ティビアパッドを貫通した状態で取付けられると、硬質の部材が乗員の足元にあるので、軟質材料で成るティビアパッドによる保護を確実にできないおそれがある。クリップは、ティビアパッドを貫通せず、フロアパネルからできるだけ高くならずに、ティビアパッドによる効果を高く維持できるのが望ましい。
【０００６】
特許文献４には、フットレストをフロアパネルに取付けるのに用いる合成樹脂製のクリップが記載されている。特許文献４は、フットレストをフロアパネルに取付けるためのクリップを記載しているが、ティビアパッドを取付けることについては記載していない。特に、このクリップは、フットレストの下面に形成された円筒のクリップ受入筒状体に取付けられる構成であり、軟質材料のティビアパッドの取付穴に取付ける構成を持たない。
【０００７】
従って、本発明の目的は、ティビアパッドを貫通せず、フロアパネル等の被取付部材からできるだけ高くならずに、ティビアパッドによる効果を高く維持できる、合成樹脂の一体成形品で成るティビアパッド固定用のクリップを提供することにある。
【課題を解決するための手段】
【０００８】
上記目的を達成するため、本発明に係る、乗員保護のための軟質材料で成るティビアパッドをフロアパネル等の被取付部材に固定する、ティビアパッド固定用のクリップは、ティビアパッドの取付穴に挿入される軸部と、軸部の一端に設けられて軸部が取付穴を貫通するのを阻止するようにティビアパッドに接面するフランジと、被取付部材に固定される固定部とが合成樹脂で一体成形されて成り、軸部には、ティビアパッドの取付穴の内壁面に係合するように軸部の側面から半径方向外方に突出して当該クリップの抜け外れを阻止する突起を有する係合部が連結されており、係合部は、突起が軸部側面から外方に突出した突出位置と突起が軸部側面から外方に突出しない非突出位置とを揺動できるように形成されており、係合部には、通常時には突出位置にあり、外力の付与によって非突出位置に揺動することができ、外力の解除によって通常時の突出位置に復帰する弾性が付与されている、ことを特徴とする。
【０００９】
上記のように、弾性のある係合部に突起が形成されているので、ティビアパッドの取付穴に軸部を挿入するときには係合部の自由端に外力を加えて突起を非突出位置に位置させれば取付穴に軸部を支障なく挿入でき、挿入後外力を無くすれば突起がティビアパッドの取付穴の内壁面に係合するので、そのままクリップがティビアパッドに取付けられ、これによって、合成樹脂の一体成形品であるクリップを、ティビアパッドを貫通せず、フロアパネル等の被取付部材からできるだけ高くならずに、ティビアパッドによる効果を高く維持できるように、ティビアパッドに固定できる。
【００１０】
上記クリップにおいて、係合部は、根元部がフランジと反対の軸部の端部に連結され、軸部に沿ってフランジに隣接する軸部の端部に延び、先端がフランジに隣接する位置において自由端となっており、自由端は、根元部を中心に係合部が非突出位置に揺動できるように外力を加えることができる形状で成る。係合部は、根元部から自由端までの全体が細長い板状に形成されており、板状の係合部は、軸部に沿って延びる軸部隣接部分と、軸部隣接部分からフランジに沿ってＬ字形状に延びるフランジ隣接部分とから成る。軸部隣接部分に、軸部の半径方向外側に突出する突起が長手方向に複数個形成されている。フランジ隣接部分は、外力を付与しない通常時において、自由端が、フランジ外縁部と一緒に押さえて把持できる位置に、フランジより半径方向外方に張り出している。
【００１１】
上記クリップにおいて、係合部は、１個であってもよいが、軸部の直径方向に対向して２個設けられていてもよい。２個の係合部によって挿入時の作業が向上し、ティビアパッドに対する保持力が向上する。クリップをティビアパッドの取付穴に対して中心に位置決めできるように、軸部の外面に、周方向に間隔をおいて、長手方向に延びるリブが複数個形成されている。軸部は、被取付部材に立設された棒状のスタッドを受入れるように中空に形成されており、固定部は、中空軸部に形成された弾性係止爪を有する。その場合、フランジの外縁部がスタッドの先端を拾い易いように軸部と反対の側に延びているのが好ましい。なお、被取付部材に取付穴が設けられている場合には、固定部は、フランジから軸部とは反対側に延びて被取付部材の取付穴に挿入されて係止する、例えば、錨脚形状のものであってもよい。
【発明を実施するための最良の形態】
【００１２】
以下、本発明の実施形態について図面を参照しながら説明する。図１〜図８に本発明の第１実施形態に係る、ティビアパッド固定用のクリップ１が示される。図９には、本発明の第２実施形態に係る、ティビアパッド固定用のクリップ１Ａが示される。図１〜図８のうち、図１〜図３には、外力を加えない通常時のクリップ１の構成が示されている。図４には、クリップ１の係合部に外力を加えた状態が示されている。図５〜図８には、クリップ１がティビアパッド２に取付けられて、被取付部材であるフロアパネル３に固定される状態が示されている。
【００１３】
図１〜図３において、ティビアパッド固定用のクリップ１は、硬質の合成樹脂によって成形される一体成形品である。クリップ１は、ティビアパッドの取付穴に挿入される軸部５と、軸部５の一端に設けられて軸部５がティビアパッド２の取付穴２５を貫通するのを阻止するようにティビアパッド２に接面するフランジ６と、被取付部材としてのフロアパネル３に固定される固定部７とが合成樹脂で一体成形されて成る。軸部５には、ティビアパッド２の取付穴２５の内壁面２７に係合するように軸部５の側面から半径方向外方に突出してクリップ１の抜け外れを阻止する突起９を有する係合部１０が連結されている。軸部５は、円筒形状に形成されて、ティビアパッド２の取付穴２５に挿入し易い形状に形成されており、その高さは、ティビアパッド２の厚さの半分程度の高さに選定される。フランジ６は、軸部５の下端に軸部５の外径より大径の円板形に形成されている。フランジ６は外縁部１１を有し、外縁部１１は、フロアパネル３に立設された、棒状のねじ又は周溝が形成されたスタッド３０の先端を拾い易いように、軸部と反対側である下方に少し延びている。フランジ６は、拾ったスタッドの先端を、軸部５に形成された固定部７に誘導するように、軸部５の軸心に向けて緩やかな勾配を持つ形状に形成されるのが好ましい。
【００１４】
固定部７は、軸部５に形成されて、図示の実施形態において、スタッド受入穴１３と弾性係止爪１４とから成り、被取付部材であるフロアパネル３に立設された棒状のスタッド３０に係止する構成である。軸部５の軸心部分は、スタッド３０を受入れるスタッド受入穴１３を有するように中空に形成される。スタッド受入穴１３には、受入れたスタッドの棒状部分に形成されたねじの溝又は周溝に係止する弾性の係止爪１４が一対形成されている。係止爪１４の数は２対以上であってもよく、また、周方向に３つ形成されてもよく、スタッドに係止して固定できる限り、任意の数及び形状でよい。更に、固定部は図示のものに限らない。例えば、フロアパネル３にスタッドが立設されず、取付穴が設けられている場合には、固定部は、フランジ６から軸部５とは反対側（図１の下方）に延びてフロアパネルの取付穴に挿入されて係止する、錨脚形状の固定部であってもよい。
【００１５】
係合部１０は、根元部１５が、フランジ６と反対の軸部５の端部（図１及び３の上端）に連結されている。係合部１０は、根元部１５からフランジ６に向けて軸部５に沿ってフランジ６に隣接する軸部５の端部（図１及び３の下端）に延び、更に、先端がフランジ６に隣接する位置において自由端２１となっている。詳細には、係合部１０は、根元部１５から自由端２１までの全体が細長い板状に形成され、軸部５に沿って延びる軸部隣接部分１７と、軸部隣接部分１７からＬ字形状に曲がってフランジ６に沿って延びるフランジ隣接部分１８とから成る。軸部隣接部分１７には、ティビアパッド２の取付穴２５の内壁面２７に係合するように軸部の側面から半径方向外方に突出してクリップ１の抜け外れを阻止する突起９が、長手方向に複数個、形成されている。係合部１０は、軸部５に連結される根元部１５を中心として、突起９が軸部５の側面から外方に突出した突出位置と突起９が軸部５の側面から外方に突出しない非突出位置とを揺動できるように形成されている。また、この揺動を行えるようにするため、軸部５とフランジ６には、係合部１０との境界部分にはスリット１９（図３）が形成されている。更に、係合部１０には、通常時には突起９を軸部５の側面の外方に突出する突出位置に維持し、外力の付与によって突起９を軸部５の側面から突出させない非突出位置に揺動することができ、その外力の解除によって通常時の突出位置に復帰する弾性が付与されている。従って、図１及び図３の係合部１０の姿勢は、突出位置にあり、図４の姿勢は、非突出位置にある。図１及び図３に図示のように、フランジ隣接部分１８は、外力を付与しない通常時において、自由端２１が、フランジ６の外縁部１１より離れた位置ではあるが、フランジ外縁部１１と一緒に押さえて把持できる位置に、フランジ６より半径方向外方に張り出すように形成されている。
【００１６】
軸部５の外面には、長手方向に延びるリブ２２が、軸部５の外周面の周方向に間隔をおいて、複数個（図示の実施形態では、係合部１０の両側の位置と係合部１０に直径方向に対向する位置との合計３個）形成されている。かかるリブ２２によって、クリップ１をティビアパッド２の取付穴２５に対して中心に位置決めできるように、規制できる。
【００１７】
図４は、係合部１０に、指等によって外力（矢印２３）がフランジ隣接部分１８の自由端２１に付与されて、フランジ隣接部分１８がフランジ６より下方に傾くようにたわめられ、これによって、係合部１０が突出位置から非突出位置に揺動した状態を示している。非突出位置への揺動によって、係合部１の突起９は軸部５の側面の外面から内方に引き込められて、軸部５をティビアパッドの取付穴に挿入するとき、内壁面２７に係合するのが阻止され、軸部５の挿入を容易にする。
【００１８】
上記構成で成るクリップ１をティビアパッド２に取付ける操作を図５〜図７を参照して説明する。図５において、ティビアパッド２の取付穴２５にクリップ１の軸部５を位置決めする。そのとき、指等でフランジ６を把持するとともに、図４に図示のように、係合部１０の自由端２１をフランジ６の外縁部１１とともに把持して係合部１０に外力を加えて非突出位置に維持し、突起９を軸部５の側面から内方に引き込める。そして、クリップ１をそのまま取付穴２５に挿入する。なお、ティビアパッド２には、取付穴２５の半径方向外方に、フランジ６を収容する円形凹部２６が形成されている。
【００１９】
軸部５をフランジ６がティビアパッド２の凹部２６の面に接面するまで挿入した後、フランジ６を保持している指等を離す。それと同時に、係合部１０の自由端２１に加えられていた外力も解除されるので、係合部１０は、半径方向外方に張り出す弾性によって、突出位置に復帰して図６の状態になる。突起９は、軸部５の外面から半径方向外方に突出して取付穴２５の内壁面２７に係合する。突起９は、図示のように、先端が尖った形状に形成されている場合、内壁面２７に突き刺さり、その係合力を強固にする。また、突起９は複数形成されているので、内壁面２７への係合力は高く、クリップ１はティビアパッド２に強固に固定される。更に、係合部１０の軸部５の高さは、ティビアパッド２の厚さより十分に低く、図６の取付穴２５の上方部分２９には、軟質材料部分を確保でき、クリップ１の硬質部分に伴なう乗員保護の低下は避けられる。
【００２０】
図７に図示のように、軸部５の外面には周方向に間隔をおいて複数のリブ２２が形成されており、これら複数のリブ２２は、軸部５を取付穴２５に挿入するとき、軸部５を取付穴２５の軸心に合わせるように案内する。従って、軸部５、ひいては、クリップ１がティビアパッド２の取付穴２５に軸心を合わせて固定される。
【００２１】
図８において、被取付部材であるフロアパネル３には棒状のスタッド３０が溶接等によって立設されている。スタッド３０の棒状部分には、ねじ又は周溝が形成されている。図示の実施形態では、スタッド３０にはねじが形成されている。このフロアパネル３にティビアパッド２を固定するには、取付穴２５にクリップ１を取付けた後、クリップ１の固定部７にスタッド３０を受入れるように位置決めして、そのままティビアパッド２をフロアパネル３に押付ける。これによって、固定部７の弾性係止爪１４が、ねじ溝又は周溝に係合してスタッド３０に係止し、クリップ１がフロアパネル３に固定され、ティビアパッド２がフロアパネル３に固定される。上記のように、合成樹脂の一体成形品であるクリップ１を、ティビアパッド２を貫通せずに、従って、クリップ１は、フロアパネル３から可能な限り低く抑えることができ、ティビアパッド２による乗員の下肢障害を低減する効果を高く維持できるように、ティビアパッド２をフロアパネル３に固定できる。
【００２２】
なお、フロアパネル３には、スタッドが立設されず、フロアパネル３に取付穴（図示せず）が設けられている場合には、固定部はフランジから軸部とは反対側に延びてフロアパネルの取付穴に挿入されて係止する錨脚形状のものであってもよい。このように、固定部はフロアパネルに固定できる限り、任意の形状又は構造のものでよい。
【００２３】
図９は、本発明の第２実施形態に係る、ティビアパッド固定用のクリップ１Ａを示している。図１〜図８の第１実施形態に係るクリップ１は、係合部１０は、１個だけ形成されている。図９に図示の、第２実施形態に係るクリップ１Ａには、軸部５の直径方向に対向して、２個の係合部１０が形成されている。それ以外の他の構成は、クリップ１と同じであるので、説明を省略する。このように、２個の係合部１０を有するクリップ１Ａは、係合部１０に外力を加えるように、フランジ６を把持するとき、バランスよく係合部１０に外力を加えることができるので、軸部５をティビアパッド２の取付穴に挿入する時の作業が向上する。また、係合部１０が２つあるので、突起９の係合力によるティビアパッドに対する保持力が向上する。
【図面の簡単な説明】
【００２４】
【図１】本発明の第１実施形態に係るティビアパッド固定用のクリップの正面図である。
【図２】図１のクリップの底面図である。
【図３】図２のクリップのＡ−Ａ線断面図である。
【図４】係合部に外力を加えたときのクリップの図３と同様の断面図である。
【図５】ティビアパッドに図１のクリップを取付ける前の斜視図である。
【図６】ティビアパッドに図１のクリップを取付けた後の断面図である。
【図７】図６のＢ−Ｂ線断面図である。
【図８】図１のクリップ付きのティビアパッドを、スタッドが立設されたフロアパネルに固定する前の斜視図である。
【図９】本発明の第２実施形態に係るティビアパッド固定用のクリップの正面図である。
【符号の説明】
【００２５】
１：１Ａ  ティビアパッド固定用のクリップ
２  ティビアパッド
３  フロアパネル（被取付部材）
５  軸部
６  フランジ
７  固定部
９  突起
１０  係合部
１１  フランジの外縁部
１３  スタッド受入穴
１４  弾性係止爪
１５  係合部の根元部
１７  係合部の軸部隣接部分
１８  係合部のフランジ隣接部分
１９  スリット
２１  係合部の自由端
２２  リブ
２３  外力
２５  ティビアパッドの取付穴
２７  取付穴の内壁面
３０  スタッド
【図１】
2008163996.tif 000003
【図２】
2008163996.tif 000004
【図３】
2008163996.tif 000005
【図４】
2008163996.tif 000006
【図５】
2008163996.tif 000007
【図６】
2008163996.tif 000008
【図７】
2008163996.tif 000009
【図８】
2008163996.tif 000010
【図９】
2008163996.tif 000011